(57)【要約】【課題】  多大な記憶容量を持つ装置を必要とせずに、着信者に通話料金あるいは通話量に応じて優遇処理を施す。【解決手段】  発信者の端末装置４と着信者の端末装置５とが通信ノード２を介して通話が行われている。本通話が終話することにより通信ノード２が、通話記録情報を着信側通話料金寄与分抽出装置３に送信する。着信側通話料金寄与分抽出装置３が、これを受信し、通話料金の把握を行い、通話料金に一定割合を乗算して着信側通話料金寄与分を算出し、蓄積する。外部装置からの要求を受信すると、着信側通話料金寄与分抽出装置３は着信側通話料金寄与分情報を送信する。【選択図】  図１
2005252823.tif 000002
【特許請求の範囲】
【請求項１】
通信ネットワークと、該通信ネットワークに接続される通信ノードと、発信者の端末装置と、着信者の端末装置とを有するネットワークシステムにおいて、
前記通信ノードから送信された該着信者の端末装置の番号を含む通話記録情報を受信する通話記録情報受信ステップと、
該通話記録情報から通話料金を把握する通話料金把握ステップと、
該通話料金の一定割合を着信側通話料金寄与分情報として該着信者の端末装置の番号毎に蓄積する着信側通話料金寄与分蓄積ステップと、
外部からの要求により該蓄積された着信側通話料金寄与分情報を送信する蓄積情報送信ステップと
を有する着信側通話料金寄与分抽出方法。
【請求項２】
前記一定割合を該通話料金の額に応じて可変にする、請求項１に記載の着信側通話料金寄与分抽出方法。
【請求項３】
前記着信側通話料金寄与分蓄積ステップにおいて、特定の額以上の通信料金である場合に該通話料金の該一定割合を該着信者の端末装置の番号毎に蓄積する、請求項１または２に記載の着信側通話料金寄与分抽出方法。
【請求項４】
通信ネットワークと、該通信ネットワークに接続される通信ノードと、発信者の端末装置と、着信者の端末装置とを有するネットワークシステムにおいて、
前記通信ノードから送信された該着信者の端末装置の番号を含む通話記録情報を受信する通話記録情報受信手段と、
該通話記録情報から通話料金を把握する通話料金把握手段と、
該通話料金の一定割合を着信側通話料金寄与分情報として該着信者の端末装置の番号毎に蓄積する着信側通話料金寄与分蓄積手段と、
外部からの要求により該蓄積された着信側通話料金寄与分情報を送信する蓄積情報送信手段と
を有する着信側通話料金寄与分抽出装置。
【発明の詳細な説明】
【技術分野】
【０００１】
本発明は、通信ネットワークと、通信ネットワークに接続される通信ノードと、発信者の端末装置と、着信者の端末装置を有し、着信者に通話料金あるいは通信量に応じて優遇処置を施す方法に関する。
【背景技術】
【０００２】
着信者に通話料金あるいは通信量に応じて優遇処置を施す従来のシステムの例としては、例えば特許文献１「課金処理システム及び課金処理方法」がある。本特許文献は、回線の使用量（通話量）に応じて発信者に課せられる通話料金を、その人が着信者となった場合の通話量の多少に応じて割引するものである。これにより通話料金の多い利用者は、多くの着信を受けることにより、それだけ通話料金が割り引かれることになる。しかしながら発信をほとんどしない利用者にとっては、どんなに多くの着信を受けても何の恩恵にも預かれないものである。
【０００３】
また、着信者に通話料金あるいは通信量に応じて優遇処置を施すシステムの他の例としては、特許文献２「通話量管理システム及び方法」がある。本特許文献は、上記に述べた特許文献１のように通話料金を割り引くことにはしていないが、着信者毎に全ての通話量に係る情報を一定期間蓄積し、しかもその蓄積した量が一定以上になった場合にはじめて優遇処置を施すものであることから、一定期間の通話量に係る情報を着信者（利用者）毎に蓄積するためには多大な記憶容量を持つ装置が必要になる。
【０００４】
着信者に通話料金あるいは通信量に応じて優遇処置を施すシステムのさらに他の例としては、特許文献３「最適課金装置」がある。本特許文献は、利用者が複数の電話回線を所有している場合に適用されるものであり、複数の電話回線を一つのグループとして扱い、そのグループ内の電話回線からの通話料金を、利用者が通話するとき、その時点において最も割安となる割引サービスに加入しているグループ内の電話回線が通話したものとして扱い、その電話回線に自動的に課金するものである。これにより複数の電話回線が全ての割引サービスに加入していなくても、どれか一つの電話回線が加入していさえすれば、グループ内の全電話回線がその割引サービスを受けることができるようにするものである。この考え方からすれば、着信者に通話料金あるいは通話量に応じて優遇処置を施すサービスにおいても、どれか一つの電話回線が本サービスに加入すればよいことになるが、着信者に通話料金あるいは通話量に応じて優遇処置を施すサービスの方法、システムについては言及されていない。
【特許文献１】特開２００１−２４５０７１号公報
【特許文献２】特開２００１−２０３８２８号公報
【特許文献３】特開平７−１０７２１０号公報
【発明の開示】
【発明が解決しようとする課題】
【０００５】
上記に述べた、着信者に通話料金あるいは通話量に応じて優遇処置を施す従来のシステムにあっては、発信をほとんどしない利用者にとっては、どんなに多くの着信を受けても何の恩恵にも預かれないものであり、恩恵に預かれるようにするには多大な記憶容量を持つ装置が必要になるという問題がある。
【０００６】
本発明の目的は、多大な記憶容量を持つ装置を必要とせず、着信者に通話料金あるいは通話量に応じて優遇処置を施す着信側通話料金寄与分抽出方法および装置を提供することにある。
【課題を解決するための手段】
【０００７】
本発明の着信側通話料金寄与分抽出方法は、通信ノードから送信された該着信者の端末装置の番号を含む通話記録情報を受信する通話記録情報受信ステップと、該通話記録情報から通話料金を把握する通話料金把握ステップと、該通話料金の一定割合を着信側通話料金寄与分情報として該着信者の端末装置の番号毎に蓄積する着信側通話料金寄与分蓄積ステップと、外部からの要求により該蓄積された着信側通話料金寄与分情報を送信する蓄積情報送信ステップを有する。
【０００８】
また、本発明の着信側通話料金寄与分抽出装置は、通信ノードから送信された該着信者の端末装置の番号を含む通話記録情報を受信する通話記録情報受信手段と、該通話記録情報から通話料金を把握する通話料金把握手段と、該通話料金の一定割合を着信側通話料金寄与分情報として該着信者の端末装置の番号毎に蓄積する着信側通話料金寄与分蓄積手段と、外部からの要求により該蓄積された着信側通話料金寄与分情報を送信する蓄積情報送信手段を有する。
【０００９】
そのつど、通話料金の一定割合を着信側通話料金寄与分情報として蓄積するので、通信記録を一定期間蓄積しておく必要がなくなり、多大な記憶容量を持つ装置を必要とせずに、着信者に通話料金に応じた優遇処置を施すことができる。
【００１０】
なお、一定割合を通話料金の額に応じて可変にしてもよい。
【００１１】
また、該着信側通話料金寄与分蓄積ステップにおいて、特定の額以上の通話料金である場合に該通話料金の該一定割合を該着信者の端末装置の番号毎に蓄積するようにしてもよい。
【発明の効果】
【００１２】
本発明は、下記の効果がある。
１）利用者にとっては、着信が多いことでポイントや特典が得られる。また、着信によるポイントや特典の可能性があることから、電話が掛かってきたとき直ぐに切らないで丁寧に応対する気になり、発信者も気持ちが良いことからまた掛けてみようという気になる。
２）通信事業者にとっては、着信者へもポイントや特典を与えることから、着信者が丁寧に応対することにより通話時間が長くなり、また発信者がまた掛けてみようという気になることから発信回数が増えることにつながり、結果として通話料金が増収することになる。また、多大な記録容量を持つ装置を必要としない。
【発明を実施するための最良の形態】
【００１３】
次に、本発明の実施の形態について図面を参照して説明する。
【００１４】
図１は本発明の一実施形態の通信システムの構成図である。本システムが、通信ネットワーク１と、通信ノード２と、着信側通話料金寄与分抽出装置３と、発信者の端末装置４と、着信者の端末装置５とを有している。発信者の端末装置４と着信者の端末装置５は通信ノード２を介して接続される。なお、ここでは、説明の簡単のために、発信者の端末装置４と着信者の端末装置５は一つずつ示しているが、それぞれ複数存在してもよい。
【００１５】
通信ノード２は、着信者の端末装置５の番号を含む通話記録情報を着信側通話料金寄与分抽出装置３に送信する通話記録情報送信部（不図示）を有する通信ノードである。
【００１６】
図２は着信側通話料金寄与分抽出装置３の構成を示すブロック図である。着信側通話料金寄与分抽出装置３は、通信ノード２から送信される通話記録情報を受信する通話記録情報受信部３１と、通話記録情報受信部３１が受信した通話記録情報から通話料金を把握する通話料金把握部３２と、通話料金把握部３２が把握した通話料金の一定割合を着信側通話料金寄与分情報として算出し、本着信側通話料金寄与分情報を通話記録情報に含まれる着信者の端末装置の番号毎に蓄積する着信側通話料金寄与分蓄積部３３と、外部装置（課金装置、料金請求管理サーバ等）からの要求により着信側通話料金寄与分蓄積部３３に蓄積された着信側通話料金寄与分情報を送信する蓄積情報送信部３４とを有している。
【００１７】
図３は、着信側通話料金寄与分の概念を示したものである。図３（１）は、通話記録情報の例であり、通話記録情報として、通話開始時刻、通話終了時刻、通話料金、発信者番号、着信者番号等が含まれることを示している。図３（２）は、本通話記録情報から通話料金の情報を取り出すことを示している。図３（３）は、図３（２）で取り出された通話料金に一定割合を乗算して着信側通話料金寄与分を算出し、算出した着信側通話料金寄与分情報を通話記録情報に含まれる着信者番号毎に蓄積することを示している。蓄積された着信側通話料金寄与分情報は、外部装置からの要求により（利用者番号を指定した問合せ等）送信を可能にする。これにより、図３（１）に示した通信記録情報を一定期間蓄積しておく必要がなくなる。また、外部装置により取り出された着信側通話料金寄与分情報は、通話料金からその分差し引くようにすること、ポイントとして貯め景品と交換できるようにすること等が考えられる。
【００１８】
なお、図３（３）における一定割合は、通話料金の額により変えられるようにしてもよい。例えば通話料金が５００円のときは２％とし、通話料金が１０００円のときは５％にすることである。また、図３（３）における寄与分の算出は、通信料金の額が低い場合は計算しないようにしてもよい。例えば通信料金が１００円未満の場合は計算しなくすることである。
【００１９】
図４は、図１のシステムの動作例を示すシーケンスチャートである。同図は着信者の端末装置５と、通信ノード２と、着信側通話料金寄与分抽出装置３と、発信者の端末装置４との間のシーケンスについて示したものである。
【００２０】
発信者の端末装置４と着信者の端末装置５とが通信ノード２を介して通話が行われている（ステップ１０１）。本通話が終話することにより通信ノード２が、通話記録情報送信部により通話記録情報を着信側通話料金寄与分抽出装置３に送信する（ステップ１０２）。着信側通話料金寄与分抽出装置３が、通話記録情報受信部３１によりこれを受信し（ステップ１０３）、通話料金把握部３２により通話料金の把握を行い（ステップ１０４）、着信側通話料金寄与分蓄積部３３により通話料金に一定割合を乗算して着信側通話料金寄与分を算出し、蓄積する（ステップ１０５）。外部装置からの要求を蓄積情報送信部３４が受信すると、蓄積されている着信側通話料金寄与分情報を送信する（ステップ１０６）。
【００２１】
なお、ステップ１０５において一定割合は、通話料金の額により変えられるようにしてもよい。また、ステップ１０５において通話料金の額が低い場合は計算しないようにしてもよい。
【００２２】
なお、本発明は、図１〜図４を用いて説明した実施形態に限定されるものではなく、その主旨を逸脱しない範囲において種々の変形、変更が可能である。
【産業上の利用可能性】
【００２３】
本発明は通信ネットワークシステムに適用することができ、着信者にとっては着信を受けるだけでポイントや特典が付与されることから着信したときの応対が丁寧になり、例えば通話時間が長くなることから通信料金の増収が期待できる。
【図面の簡単な説明】
【００２４】
【図１】本発明の一実施形態のシステムの構成を示す図である。
【図２】図１のシステムの着信側通話料金寄与分抽出装置３の構成を示すブロック図である。
【図３】着信側通話料金寄与分抽出動作の説明図である。
【図４】図１のシステムの動作を示すシーケンスチャートである。
【符号の説明】
【００２５】
１    通信ネットワーク
２    通信ノード
３    着信側通話料金寄与分抽出装置
３１    通話記録情報受信部
３２    通話料金把握部
３３    着信側通話料金寄与分蓄積部
３４    蓄積情報送信部
４    発信者の端末装置
５    着信者の端末装置
１０１〜１０６    ステップ
【図１】
2005252823.tif 000003
【図２】
2005252823.tif 000004
【図３】
2005252823.tif 000005
【図４】
2005252823.tif 000006